(57)【特許請求の範囲】
【請求項１】
第１システムの第１移動機及び第２システムの第２移動機に対応する無線通信システムの基地局が、周波数分割２重通信（ＦＤＤ）方式によるデータ送受信過程において制御情報を送信する方法であって、
ダウンリンク帯域幅において前記第１システムのフレームのダウンリンクゾーンが含む直交周波数分割多重化（ＯＦＤＭ）シンボルの個数に関する情報を、ダウンリンクマップメッセージ（ＤＬ−ＭＡＰ）のＮｕｍｂｅｒ  ｏｆ  ＯＦＤＭＡ  ｓｙｍｂｏｌｓフィールドを通じて前記第１移動機に送信するステップと、
アップリンク帯域幅において前記第１システムの前記フレームのアップリンクゾーンが含むＯＦＤＭシンボルの個数に関する情報を、アップリンクマップメッセージ（ＵＬ−ＭＡＰ）のＮｕｍｂｅｒ  ｏｆ  ＯＦＤＭＡ  ｓｙｍｂｏｌｓフィールドを通じて前記第１移動機に送信するステップと、を有し、
前記第１移動機は、周波数分割半２重通信（Ｈ−ＦＤＤ）で動作し、前記第１システムの前記フレームの前記ダウンリンクゾーンは、前記第１システムの前記フレームの前記アップリンクゾーンと、時間領域において重ならず、
前記第２システムの前記ダウンリンクゾーンの第１フレームは、前記第２システムの前記アップリンクゾーンの第４サブフレームと時間領域において重なり、前記第２システムの前記ダウンリンクゾーンの末尾サブフレームは、前記第２システムの前記アップリンクゾーンの第５サブフレームと前記時間領域において重なり、
前記第２システムの前記アップリンクゾーンの前記第４サブフレームと、前記第２システムの前記アップリンクゾーンの前記第５サブフレームとは、前記時間領域においてフレーム区間内に含まれ、
前記第１システムの前記アップリンクゾーンは、前記第２システムの前記アップリンクゾーンの前記第４サブフレームと、前記第２システムの前記アップリンクゾーンの前記第５サブフレームとの間にある、方法。
【請求項２】
前記第２システムのダウンリンクゾーンは、ダウンリンク帯域幅において、前記第１システムの前記ダウンリンクゾーンの次に割り当てられ、前記第２システムのアップリンクゾーンは、アップリンク帯域幅において、前記第１システムの前記アップリンクゾーンの前に割り当てられる、請求項１に記載の方法。
【請求項３】
前記第１システムの前記ダウンリンクゾーンと前記第２システムの前記ダウンリンクゾーンとの和は、前記第２システムのフレームの長さである、請求項２に記載の方法。
【請求項４】
前記第１システムの前記アップリンクゾーンと前記第２システムの前記アップリンクゾーンとの和は、前記第２システムのフレームの長さである、請求項２に記載の方法。
【請求項５】
前記第１システムのサブフレームの個数と前記第２システムのフレームに含まれた前記第２システムのサブフレームの個数との比率は、２：６、３：５及び４：４のうちいずれか一つである、請求項４に記載の方法。
【請求項６】
第１システムの第１移動機及び第２システムの第２移動機に対応する無線通信システムの、周波数分割半２重通信（Ｈ−ＦＤＤ）で動作する移動機が、周波数分割２重通信（ＦＤＤ）方式によるデータ送受信過程において制御情報を受信する方法であって、
基地局から、ダウンリンク帯域幅において前記第１システムのフレームのダウンリンクゾーンが含む直交周波数分割多重化（ＯＦＤＭ）シンボルの個数に関する情報を、ダウンリンクマップメッセージ（ＤＬ−ＭＡＰ）のＮｕｍｂｅｒ  ｏｆ  ＯＦＤＭＡ  ｓｙｍｂｏｌｓフィールドを通じて受信するステップと、
前記基地局から、アップリンク帯域幅において前記第１システムの前記フレームのアップリンクゾーンが含むＯＦＤＭシンボルの個数に関する情報を、アップリンクマップメッセージ（ＵＬ−ＭＡＰ）のＮｕｍｂｅｒ  ｏｆ  ＯＦＤＭＡ  ｓｙｍｂｏｌｓフィールドを通じて受信するステップと、を有し、
前記第１システムの前記フレームの前記ダウンリンクゾーンは、前記第１システムの前記フレームの前記アップリンクゾーンと、時間領域において重ならず、
前記第２システムの前記ダウンリンクゾーンの第１フレームは、前記第２システムの前記アップリンクゾーンの第４サブフレームと時間領域において重なり、前記第２システムの前記ダウンリンクゾーンの末尾サブフレームは、前記第２システムの前記アップリンクゾーンの第５サブフレームと前記時間領域において重なり、
前記第２システムの前記アップリンクゾーンの前記第４サブフレームと、前記第２システムの前記アップリンクゾーンの前記第５サブフレームとは、前記時間領域においてフレーム区間内に含まれ、
前記第１システムの前記アップリンクゾーンは、前記第２システムの前記アップリンクゾーンの前記第４サブフレームと、前記第２システムの前記アップリンクゾーンの前記第５サブフレームとの間にある、方法。
【請求項７】
前記第２システムのダウンリンクゾーンは、ダウンリンク帯域幅において、前記第１システムの前記ダウンリンクゾーンの次に割り当てられ、前記第２システムのアップリンクゾーンは、アップリンク帯域幅において、前記第１システムの前記アップリンクゾーンの前に割り当てられる、請求項６に記載の方法。
【請求項８】
前記第１システムの前記ダウンリンクゾーンと前記第２システムの前記ダウンリンクゾーンとの和は、前記第２システムのフレームの長さである、請求項７に記載の方法。
【請求項９】
前記第１システムの前記アップリンクゾーンと前記第２システムの前記アップリンクゾーンとの和は、前記第２システムのフレームの長さである、請求項７に記載の方法。
【請求項１０】
前記第１システムのサブフレームの個数と前記第２システムのフレームに含まれた前記第２システムのサブフレームの個数との比率は、２：６、３：５及び４：４のうちいずれか一つである、請求項９に記載の方法。
【請求項１１】
第１システムの第１移動機及び第２システムの第２移動機に対応する無線通信システムにおいて、周波数分割２重通信（ＦＤＤ）方式によってデータ送受信を行う基地局であって、
ダウンリンク帯域幅において前記第１システムのフレームのダウンリンクゾーンに含まれるＯＦＤＭシンボルの個数と、アップリンク帯域幅において前記第１システムのフレームのアップリンクゾーンに含まれる直交周波数分割多重化（ＯＦＤＭ）シンボルの個数とを決定するプロセッサと、
前記ダウンリンクゾーンが含むＯＦＤＭシンボルの前記個数に関する情報と、前記アップリンクゾーンが含むＯＦＤＭシンボルの前記個数に関する情報とを、それぞれダウンリンクマップメッセージ（ＤＬ−ＭＡＰ）のＮｕｍｂｅｒ  ｏｆ  ＯＦＤＭＡ  ｓｙｍｂｏｌｓフィールドと、アップリンクマップメッセージ（ＵＬ−ＭＡＰ）のＮｕｍｂｅｒ  ｏｆ  ＯＦＤＭＡ  ｓｙｍｂｏｌｓフィールドとを通じて、周波数分割半２重通信（Ｈ−ＦＤＤ）で動作する前記第１移動機に送信する送信モジュールと、を備え、
前記第１システムの前記フレームの前記ダウンリンクゾーンは、前記第１システムの前記フレームの前記アップリンクゾーンと、時間領域において重ならず、
前記第２システムの前記ダウンリンクゾーンの第１フレームは、前記第２システムの前記アップリンクゾーンの第４サブフレームと時間領域において重なり、前記第２システムの前記ダウンリンクゾーンの末尾サブフレームは、前記第２システムの前記アップリンクゾーンの第５サブフレームと前記時間領域において重なり、
前記第２システムの前記アップリンクゾーンの前記第４サブフレームと、前記第２システムの前記アップリンクゾーンの前記第５サブフレームとは、前記時間領域においてフレーム区間内に含まれ、
前記第１システムの前記アップリンクゾーンは、前記第２システムの前記アップリンクゾーンの前記第４サブフレームと、前記第２システムの前記アップリンクゾーンの前記第５サブフレームとの間にある、基地局。
【請求項１２】
前記第２システムのダウンリンクゾーンは、ダウンリンク帯域において、前記第１システムの前記ダウンリンクゾーンの次に割り当てられ、前記第２システムのアップリンクゾーンは、アップリンク帯域において、前記第１システムの前記アップリンクゾーンの前に割り当てられる、請求項１１に記載の基地局。
【請求項１３】
前記第１システムの前記ダウンリンクゾーンと前記第２システムの前記ダウンリンクゾーンとの和は、前記第２システムのフレームの長さである、請求項１２に記載の基地局。
【請求項１４】
前記第１システムの前記アップリンクゾーンと前記第２システムの前記アップリンクゾーンとの和は、前記第２システムのフレームの長さである、請求項１２に記載の基地局。
【請求項１５】
前記第１システムのサブフレームの個数と前記第２システムのフレームに含まれた前記第２システムのサブフレームの個数との比率は、２：６、３：５及び４：４のうちいずれか一つである、請求項１４に記載の基地局。
【請求項１６】
第１システムの移動機及び第２システムの移動機に対応する無線通信システムにおいて、周波数分割半２重通信（Ｈ−ＦＤＤ）によって動作する移動機であって、
基地局から、ダウンリンク帯域幅において前記第１システムのフレームのダウンリンクゾーンに含まれる直交周波数分割多重化（ＯＦＤＭ）シンボルの個数に関する情報と、アップリンク帯域において前記第１システムの前記フレームのアップリンクゾーンに含まれるＯＦＤＭシンボルの個数に関する情報とを、それぞれダウンリンクマップメッセージ（ＤＬ−ＭＡＰ）のＮｕｍｂｅｒ  ｏｆ  ＯＦＤＭＡ  ｓｙｍｂｏｌｓフィールドと、アップリンクマップメッセージ（ＵＬ−ＭＡＰ）のＮｕｍｂｅｒ  ｏｆ  ＯＦＤＭＡ  ｓｙｍｂｏｌｓフィールドとを通じて受信する受信モジュールと、
前記第１システムの前記フレームの開始点から、前記ダウンリンクゾーンが含むＯＦＤＭシンボルの前記個数だけのＯＦＤＭシンボルの経過後に、ダウンリンクからアップリンクに切替えを行うプロセッサと、を備え、
前記第１システムの前記フレームの前記ダウンリンクゾーンは、前記第１システムの前記フレームの前記アップリンクゾーンと、時間領域において重ならず、
前記第２システムの前記ダウンリンクゾーンの第１フレームは、前記第２システムの前記アップリンクゾーンの第４サブフレームと時間領域において重なり、前記第２システムの前記ダウンリンクゾーンの末尾サブフレームは、前記第２システムの前記アップリンクゾーンの第５サブフレームと前記時間領域において重なり、
前記第２システムの前記アップリンクゾーンの前記第４サブフレームと、前記第２システムの前記アップリンクゾーンの前記第５サブフレームとは、前記時間領域においてフレーム区間内に含まれ、
前記第１システムの前記アップリンクゾーンは、前記第２システムの前記アップリンクゾーンの前記第４サブフレームと、前記第２システムの前記アップリンクゾーンの前記第５サブフレームとの間にある、移動機。
【請求項１７】
前記第２システムのダウンリンクゾーンは、ダウンリンク帯域幅において、前記第１システムの前記ダウンリンクゾーンの次に割り当てられ、前記第２システムのアップリンクゾーンは、アップリンク帯域幅において、前記第１システムの前記アップリンクゾーンの前に割り当てられる、請求項１６に記載の移動機。
【請求項１８】
前記第１システムの前記ダウンリンクゾーンと前記第２システムの前記ダウンリンクゾーンとの和は、前記第２システムのフレームの長さである、請求項１７に記載の移動機。
【請求項１９】
前記第１システムの前記アップリンクゾーンと前記第２システムの前記アップリンクゾーンとの和は、前記第２システムのフレームの長さである、請求項１７に記載の移動機。
【請求項２０】
前記第１システムのサブフレームの個数と前記第２システムのフレームに含まれた前記第２システムのサブフレームの個数との比率は、２：６、３：５及び４：４のうちいずれか一つである、請求項１９に記載の移動機。
【発明の詳細な説明】
【技術分野】
【０００１】
本発明は、無線通信システムに係り、より詳細には、無線通信システムにおいて制御情報を送信する方法に関するものである。
【背景技術】
【０００２】
まず、米国電気電子学会（ＩＥＥＥ）  ８０２．１６ｍシステムのフレーム構造について説明する。
【０００３】
図１は、ＩＥＥＥ ８０２．１６ｍシステムのフレーム構造を示す図である。
【０００４】
図１を参照すると、２０ｍｓスーパフレームのそれぞれは、スーパフレームヘッダ（ＳＦＨ）から始まり、４個の５ｍｓフレームを含む。５ＭＨｚ、１０ＭＨｚ又は２０ＭＨｚのチャネル帯域幅を有する場合、５ｍｓフレームのそれぞれは８個のサブフレームを含む。そして、７ＭＨｚのチャネル帯域幅を有する場合には、５ｍｓフレームのそれぞれは５個のサブフレームを含み、８．７５ＭＨｚのチャネル帯域幅を有する場合には、５ｍｓフレームのそれぞれは７個のサブフレームを含む。一つのサブフレームはダウンリンク又はアップリンク送信のために割り当てることができる。
【０００５】
ＩＥＥＥ ８０２．１６ｍシステムでは、３つのタイプのサブフレームが存在し、第１タイプのサブフレームは６個のＯＦＤＭＡシンボルを含み、第２タイプのサブフレームは７個のＯＦＤＭＡシンボルを含み、第３タイプのサブフレームは６個のＯＦＤＭＡシンボルを含む。
【０００６】
図１に示されたフレーム構造は、周波数分割半２重通信（Ｈ―ＦＤＤ）移動機（ＭＳ）動作だけでなく周波数分割２重通信（以下“ＦＤＤ”という）方式及び時分割２重通信（以下“ＴＤＤ”という）方式にも適用することができる。ＴＤＤ方式では、フレームは２個の切替点（ｓｗｉｔｃｈｉｎｇ  ｐｏｉｎｔｓ）を含む。すなわち、ダウンリンクからアップリンクに切り替わる切替点と、アップリンクからダウンリンクに切り替わる切替点とが存在する。
【０００７】
Ｈ−ＦＤＤ移動機はＦＤＤシステムに含めることができ、Ｈ−ＦＤＤ移動機の観点でのフレーム構造はＴＤＤフレーム構造と類似しているが、ダウンリンク及びアップリンク送信は、２個の個別周波数帯域で行われる。
【０００８】
従来技術によれば、ＩＥＥＥ ８０２．１６ｍシステムは８０２．１６ｍ移動機だけに対応するフレーム構造だけが存在する。しかし、実際の環境にはＩＥＥＥ ８０２．１６ｅ移動機及び８０２．１６ｍ移動機が共存するため、ＩＥＥＥ ８０２．１６ｍシステムは、ＩＥＥＥ ８０２．１６ｅ移動機及び８０２．１６ｍ移動機双方に対応できるフレーム構造が必要である。
【発明の概要】
【発明が解決しようとする課題】
【０００９】
上述したように、従来技術によれば、ＩＥＥＥ ８０２．１６ｅ移動機及び８０２．１６ｍ移動機双方に対応できるフレーム構造が存在しないため、ＩＥＥＥ ８０２．１６ｅ移動機及び８０２．１６ｍ移動機双方に対応できるフレーム構造が必要である。
【００１０】
そして、基地局は、ＩＥＥＥ ８０２．１６ｅ移動機及び８０２．１６ｍ移動機双方に対応できるフレーム構造に対する情報を、ＩＥＥＥ ８０２．１６ｅ移動機及び８０２．１６ｍ移動機のそれぞれに送信しなければならない。
【００１１】
したがって、本発明は無線通信システムにおいて制御情報を送受信する方法に関し、関連技術の制限及び欠点による１又は複数の課題を実質的に除去するものである。
【００１２】
本発明の目的は、ＩＥＥＥ ８０２．１６ｅ移動機及び８０２．１６ｍ移動機双方に対応できるフレーム構造を提案し、提案されたフレーム構造に対する情報を移動機に送信するための制御情報送信方法を提供することにある。
【００１３】
本発明で達成しようとする技術的課題は、以上に言及した技術的課題に制限されず、言及していない他の技術的課題は、下記の記載から、本発明の属する技術分野における通常の知識を有する者に明確に理解されるであろう。
【課題を解決するための手段】
【００１４】
上記の課題を達成するために、本発明の一態様に係る、第１システムの移動機及び第２システムの移動機に対応する無線通信システムの基地局が、周波数分割２重通信（ＦＤＤ）方式によるデータ送受信過程において制御情報を送信する方法は、ダウンリンク帯域幅において上記第１システムのフレームのダウンリンクゾーンが含むＯＦＤＭシンボルの個数に関する情報を、ダウンリンクマップメッセージ（ＤＬ−ＭＡＰ）のＮｕｍｂｅｒ  ｏｆ  ＯＦＤＭＡ  ｓｙｍｂｏｌｓフィールドを通じて上記第１システムの移動機に送信するステップと、アップリンク帯域幅において上記第１システムのフレームのアップリンクゾーンが含むＯＦＤＭシンボルの個数に関する情報を、アップリンクマップメッセージ（ＵＬ−ＭＡＰ）のＮｕｍｂｅｒ  ｏｆ  ＯＦＤＭＡ  ｓｙｍｂｏｌｓフィールドを通じて上記第１システムの移動機に送信するステップと、を含み、上記移動機は、周波数分割半２重通信（Ｈ−ＦＤＤ）で動作し、上記第１システムのフレームのダウンリンクゾーンは、上記第１システムのフレームのアップリンクゾーンと、時間領域において重ならないことが好ましい。
【００１５】
上記の課題を達成するために、本発明の一態様に係る、第１システムの移動機及び第２システムの移動機に対応する無線通信システムにおいて周波数分割半２重通信（Ｈ−ＦＤＤ）で動作する移動機が、周波数分割２重通信（ＦＤＤ）方式によるデータ送受信過程において制御情報を受信する方法は、基地局から、ダウンリンク帯域幅において上記第１システムのフレームのダウンリンクゾーンが含むＯＦＤＭシンボルの個数に関する情報を、ＤＬ−ＭＡＰのＮｕｍｂｅｒ  ｏｆ  ＯＦＤＭＡ  ｓｙｍｂｏｌｓフィールドを通じて受信するステップと、上記基地局から、アップリンク帯域幅において上記第１システムのフレームのアップリンクゾーンが含むＯＦＤＭシンボルの個数を、ＵＬ−ＭＡＰのＮｕｍｂｅｒ  ｏｆ  ＯＦＤＭＡ  ｓｙｍｂｏｌｓフィールドを通じて受信するステップと、を含み、上記第１システムのフレームのダウンリンクゾーンは、上記第１システムのフレームのアップリンクゾーンと、時間領域において重ならないことが好ましい。
【００１６】
上記の課題を達成するために、本発明の一態様に係る、第１システムの移動機及び第２システムの移動機に対応する無線通信システムの基地局は、ダウンリンク帯域幅において上記第１システムのフレームのダウンリンクゾーンに含まれるＯＦＤＭシンボルの個数と、アップリンク帯域幅において上記第１システムのフレームのアップリンクゾーンに含まれるＯＦＤＭシンボルの個数とを決定するプロセッサと、上記ダウンリンクゾーンが含むＯＦＤＭシンボルの個数に関する情報と、上記アップリンクゾーンが含むＯＦＤＭシンボルの個数に関する情報とを、それぞれＤＬ−ＭＡＰのＮｕｍｂｅｒ  ｏｆ  ＯＦＤＭＡ  ｓｙｍｂｏｌｓフィールドと、ＵＬ−ＭＡＰのＮｕｍｂｅｒ  ｏｆ  ＯＦＤＭＡ  ｓｙｍｂｏｌｓフィールドとを通じて上記第１システムの、周波数分割半２重通信（Ｈ−ＦＤＤ）で動作する移動機に送信する送信モジュールと、を含み、上記移動機及び上記基地局は、周波数分割２重通信（ＦＤＤ）方式でデータを送受信し、上記第１システムのフレームのダウンリンクゾーンは、上記第１システムのフレームのアップリンクゾーンと、時間領域において重ならないことが好ましい。
【００１７】
上記の課題を達成するために、本発明の一態様に係る、第１システムの移動機及び第２システムの移動機に対応する無線通信システムにおいて、周波数分割半２重通信（Ｈ−ＦＤＤ）で動作する移動機において、基地局から、ダウンリンク帯域幅において上記第１システムのフレームのダウンリンクゾーンに含まれるＯＦＤＭシンボルの個数に関する情報と、アップリンクにおいて上記第１システムのフレームのアップリンクゾーンに含まれるＯＦＤＭシンボルの個数に関する情報とを、それぞれＤＬ−ＭＡＰのＮｕｍｂｅｒ  ｏｆ  ＯＦＤＭＡ  ｓｙｍｂｏｌｓフィールドと、ＵＬ−ＭＡＰのＮｕｍｂｅｒ  ｏｆ  ＯＦＤＭＡ  ｓｙｍｂｏｌｓフィールドとを通じて受信する受信モジュールと、上記第１システムのフレームの開始点から、上記ダウンリンクゾーンが含むＯＦＤＭシンボルの個数だけのＯＦＤＭシンボルの以後に、ダウンリンクからアップリンクへの切り替え（ｓｗｉｔｃｈｉｎｇ）を行うプロセッサと、を含み、上記第１システムのフレームのダウンリンクゾーンは、上記第１システムのフレームのアップリンクゾーンと、時間領域において重ならないことが好ましい。
【００１８】
好ましくは、上記第２システムのダウンリンクゾーンは、ダウンリンク帯域幅において、上記第１システムのダウンリンクゾーンの次に割り当てられ、上記第２システムのアップリンクゾーンは、アップリンク帯域幅において、上記第１システムのアップリンクゾーンの前に割り当てることができる。
【００１９】
また、上記第１システムの上記ダウンリンクゾーンと上記第２システムの上記ダウンリンクゾーンとの和は、上記第２システムのフレーム長であってもよい。
【００２０】
また、上記第１システムの上記アップリンクゾーンと上記第２システムの上記アップリンクゾーンとの和は、上記第２システムのフレーム長であってもよい。
【００２１】
より好ましくは、上記第１システムのサブフレームの個数と上記第２システムのフレームに含まれた上記第２システムのサブフレームの個数との比率は、２：６、３：５及び４：４のうちいずれか一つであってもよい。
【００２２】
なお、上記第２システムの上記ダウンリンクゾーンは、時間領域において、上記第２システムの上記アップリンクゾーンと重なってもよい。
【００２３】
本発明で達成しようとする技術的課題を解決するための手段は、以上に言及した方法に制限されず、言及していない他の技術的課題を解決するための方法は、下記の記載から、本発明の属する技術分野における通常の知識を有する者に明確に理解されるであろう。
【発明の効果】
【００２４】
本発明の各実施例によれば、ＩＥＥＥ ８０２．１６ｅ移動機及び８０２．１６ｍ移動機双方に対応することができ、ＩＥＥＥ ８０２．１６ｅ移動機の切替点を知らせることができる。
【００２５】
本発明で得られる効果は、以上に言及した効果に制限されず、言及していない他の効果は、下記の記載から、本発明の属する技術分野における通常の知識を有する者に明確に理解されるであろう。
【００２６】
添付の図面は、発明の詳細な説明と共に本発明の特徴を記述した各実施例の理解を助けるためのものである。
【図面の簡単な説明】
【００２７】
【図１】ＩＥＥＥ ８０２．１６ｍシステムのフレーム構造を示す図である。
【図２】第１システムの移動機だけに対応するフレーム構造、及び第１システムの移動機及び第２システムの移動機に対応するフレーム構造を示す図である。
【図３】８０２．１６ｍ移動機に割り当てられたサブフレームの個数と８０２．１６ｅ移動機に割り当てられたサブフレームの個数との比率が５：３である場合、及び４：４である場合のフレーム構造を示した図である。
【図４】８０２．１６ｅ移動機に割り当てられたサブフレームの個数と８０２．１６ｍ移動機に割り当てられたサブフレームの個数との比率が３：５である場合のフレーム構造を示した図である。
【図５】本発明のさらに他の実施例であって、上述した本発明の各実施例を具現できる移動機及び基地局の構成を示す図である。
【発明を実施するための形態】
【００２８】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項なしにも実施可能であることが分かる。例えば、以下の詳細な説明は、移動通信システムが３ＧＰＰ２  ８０２．１６システムである場合を仮定して具体的に説明するが、３ＧＰＰ２  ８０２．１６システムの特有の事項を除いては、他の任意の移動通信システムにも適用可能である。
【００２９】
いくつかの場合、本発明の概念が曖昧になることを避けるために、公知の構造及び装置は省略するか、各構造及び装置の核心機能を中心にしたブロック図の形式で示すことができる。また、本明細書全体において同一の構成要素については同一の図面符号を使用して説明する。
【００３０】
なお、以下の説明において、「端末」（ｔｅｒｍｉｎａｌ）は、ユーザ装置（Ｕｓｅｒ  Ｅｑｕｉｐｍｅｎｔ、ＵＥ）、移動機（Ｍｏｂｉｌｅ  Ｓｔａｔｉｏｎ、ＭＳ）などのような移動又は固定型のユーザ端の機器を通称するものとする。また、基地局（Ｂａｓｅ  Ｓｔａｔｉｏｎ、ＢＳ）は、上記の端末と通信するノードＢ、進化ノードＢ（ｅＮｏｄｅ  Ｂ）などのようなネットワーク端の任意のノードを通称するものとする。
【００３１】
まず、本発明の実施例で提案する第１システム移動機及び第２システム移動機双方に対応できるフレーム構造について図面を参照して説明する。このとき、第１システムは、ＩＥＥＥ ８０２．１６ｍシステムであってもよく、第２システムは８０２．１６ｅシステムであってもよい。本発明の実施例では、ＩＥＥＥ ８０２．１６ｍシステム及び８０２．１６ｅシステムを例に挙げて説明するが、これに限定されない。
【００３２】
図２は、第１システムの移動機だけに対応するフレーム構造、及び第１システムの移動機及び第２システムの移動機に対応するフレーム構造を示した図である。
【００３３】
図２に示されたように、ＩＥＥＥ ８０２．１６ｍ  ＦＤＤ移動機だけに対応するフレームは、アップリンクとダウンリンクとが互いに異なる周波数帯域に割り当てられ、フレームは８個のサブフレームを含む。Ｆ−ＦＤＤ移動機は送受信を同時に行うことができるため、ダウンリンクゾーンとアップリンクゾーンとを重畳させることができる。
【００３４】
図２に示されたように、本発明で提案するＩＥＥＥ ８０２．１６ｍ  ＦＤＤ移動機及びＩＥＥＥ ８０２．１６ｅ  Ｈ−ＦＤＤ移動機双方に対応するフレームは、ＩＥＥＥ ８０２．１６ｍ  ＦＤＤ移動機に対応するために割り当てることができる領域と、ＩＥＥＥ ８０２．１６ｅ  Ｈ−ＦＤＤ移動機に割り当てることができる領域とを含む。ここで、ＩＥＥＥ ８０２．１６ｍ  ＦＤＤ移動機のために割り当てることができる領域を８０２．１６ｍゾーンと言い、ＩＥＥＥ ８０２．１６ｅ  ＦＤＤ移動機のために割り当てられることができる領域を８０２．１６ｅゾーンと言う。８０２．１６ｍゾーンは、８０２．１６ｍアップリンクゾーンと８０２．１６ｍダウンリンクゾーンとを含み、８０２．１６ｅゾーンは、８０２．１６ｅアップリンクゾーンと８０２．１６ｅダウンリンクゾーンとを含む。そして、フレーム内でＩＥＥＥ ８０２．１６ｅ移動機に対応するために割り当てられたゾーン構成に対する情報は、基地局が移動機（Ｆ−ＦＤＤ、Ｈ−ＦＤＤ）にブロードキャスト、マルチキャスト又はユニキャスト信号で送信し、移動機は受信した情報を用いて、割り当てられたゾーンの開始点及び終了点を知ることができる。このように、一つのフレームで上記システムにすべて対応する場合に、８０２．１６ｅダウンリンクゾーンは、８０２．１６ｅのＦＤＤ又はＨ−ＦＤＤ移動機の数、及び送信トラフィックなどによって、全部又は一部がデータ送受信のために使用される。すなわち、ＩＥＥＥ ８０２．１６ｅ  ＦＤＤ移動機のために割り当てられたダウンリンクゾーンは、対応する移動機の状況によって流動的に用いることができ、割り当てられた領域のうち上記移動機のために使用されない領域は、８０２．１６ｍ移動機に割り当てられるため、リソースを効率的に使用することができる。
【００３５】
そして、８０２．１６ｍダウンリンクゾーン内で実際にＩＥＥＥ ８０２．１６ｍ  ＦＤＤ移動機に割り当てられたダウンリンクゾーンを８０２．１６ｍダウンリンクゾーンと言い、８０２．１６ｍダウンリンクゾーン内で実際にＩＥＥＥ ８０２．１６ｍ  ＦＤＤ移動機に割り当てられたアップリンクゾーンを８０２．１６ｍアップリンクゾーンと言う。そして、８０２．１６ｅダウンリンクゾーン内で実際にＩＥＥＥ ８０２．１６ｅ  ＦＤＤ移動機に割り当てられたダウンリンクゾーンを８０２．１６ｅダウンリンクゾーンと言い、８０２．１６ｅダウンリンクゾーン内で実際にＩＥＥＥ ８０２．１６ｅ  ＦＤＤ移動機に割り当てられたアップリンクゾーンを８０２．１６ｅアップリンクゾーンと言う。ダウンリンクゾーン及びアップリンクゾーンと、実際に移動機に割り当てられたアップリンク及びダウンリンクゾーンの大きさとは、互いに同一又は異なってもよく、このとき、ＩＥＥＥ ８０２．１６ｅゾーン内で使用されないゾーンは、ＩＥＥＥ ８０２．１６ｍ移動機に割り当てられて使用されうる。
【００３６】
したがって、８０２．１６ｅダウンリンクゾーン内において、基地局は、移動機の負荷分散（ｌｏａｄ  ｂａｌａｎｃｉｎｇ）、トラヒック及びセル内の移動機の数などを考慮して、８０２．１６ｅダウンリンクゾーンより小さいゾーンを８０２．１６ｅ移動機に割り当てることもできる。このとき、８０２．１６ｅ移動機の信号受信は、割り当てられたダウンリンクゾーン内でだけ行わなければならない。例えば、図３で、８０２．１６ｅ  ＤＬ：８０２．１６ｍ  ＤＬ＝５：３であるとき、ダウンリンクからアップリンクへの切替えは、５番目のサブフレームで行われ、８０２．１６ｅダウンリンクゾーンは、１番目のサブフレーム（ＤＬ０）から５番目のサブフレーム（ＤＬ４）までを含むが、基地局は、８０２．１６ｅ移動機に対するスケジュールを８０２．１６ｅダウンリンクゾーン（ＤＬ０、ＤＬ１、ＤＬ２）だけを用いて行うこともできる。基地局は、上記８０２．１６ｅダウンリンクゾーン内において、８０２．１６ｅ移動機に割り当てられないゾーン（ＤＬ３、ＤＬ４）を８０２．１６ｍ（ＦＤＤ、Ｈ−ＦＤＤ）移動機に追加的に割り当てることもできる。
【００３７】
８０２．１６ｅダウンリンクゾーンと８０２．１６ｅアップリンクゾーンとが重畳され得ないという点を考慮すると、８０２．１６ｅダウンリンクゾーン及び８０２．１６ｅアップリンクゾーンそれぞれの最大の大きさは、７ＭＨｚでは２サブフレーム、８．７５ＭＨｚでは３サブフレーム、５、１０、２０ＭＨｚでは４サブフレームである。したがって、フレームの構成は、表１のように表すことができる。
【表１】
0005600173.tif 000002
【００３８】
図３は、８０２．１６ｍ移動機に割り当てられたサブフレームの個数と８０２．１６ｅ移動機に割り当てられたサブフレームの個数との比率が５：３である場合、及び４：４である場合のフレーム構造を示す図である。
【００３９】
図２に示されたように、８０２．１６ｅフレーム内において、８０２．１６ｍゾーンはアップリンクゾーンが前に位置し、８０２．１６ｅゾーンはダウンリンクゾーンが前に位置する。そして、８０２．１６ｍゾーンはアップリンクゾーンとダウンリンクゾーンとを重畳させることができる。Ｈ−ＦＤＤ移動機は送受信を同時に行うことができないため、８０２．１６ｅゾーンはアップリンクゾーンとダウンリンクゾーンとを重畳させることができない。
【００４０】
ダウンリンクは、８０２．１６ｅシステムのダウンリンクゾーン及び８０２．１６ｍシステムのダウンリンクゾーンが時分割多重化され、アップリンクは、８０２．１６ｍシステムのアップリンクゾーン及び８０２．１６ｅシステムのアップリンクゾーンが時分割多重化される。ダウンリンクは、８０２．１６ｅシステムのダウンリンクゾーンが前に位置し、アップリンクは、８０２．１６ｍシステムのダウンリンクゾーンが前に位置する。
【００４１】
そして、８０２．１６ｅシステムのダウンリンクゾーンと８０２．１６ｍシステムのダウンリンクゾーンとの区分、及び８０２．１６ｅシステムのアップリンクゾーンと８０２．１６ｍシステムのアップリンクゾーンとの区分は、サブフレーム単位に基づく。すなわち、８０２．１６ｅシステムのダウンリンクゾーン、８０２．１６ｍシステムのダウンリンクゾーン、８０２．１６ｅシステムのアップリンクゾーン、及び８０２．１６ｍシステムのアップリンクゾーンのそれぞれは、整数個のサブフレームを含む。これは、ＩＥＥＥ ８０２．１６ｍシステムが８０２．１６ｅ移動機に対応することによって、８０２．１６ｍ移動機の動作に影響を及ぼすのを防止するためである。したがって、８０２．１６ｅゾーンは、ＩＥＥＥ ８０２．１６ｅシステムが要求する最小のシンボル数と同一又は大きな長さを有するサブフレームの個数を含む。
【００４２】
１フレームに存在するサブフレームの個数をＦとするとき、８０２．１６ｅゾーンはダウンリンクゾーンとアップリンクゾーンとを重畳させることができないため、８０２．１６ｍシステムのダウンリンクゾーンは、ｃｅｉｌ（Ｆ／２）以上のサブフレームを含む。
【００４３】
８０２．１６ｍシステムのアップリンクゾーンが含むサブフレームの個数は可変できるが、ＦＤＤでの便利性のために、８０２．１６ｍシステムのダウンリンクゾーンが含むサブフレームの個数と同じ数を維持することが好ましい。したがって、８０２．１６ｍシステムのアップリンクゾーンが含むサブフレームの個数と、８０２．１６ｍシステムのダウンリンクゾーンが含むサブフレームの個数との和は、Ｆ以上でなければならない。
【００４４】
ダウンリンクからアップリンクへの切替えのための送信遷移ギャップ（ＴＴＧ）は、８０２．１６ｅダウンリンクゾーン又は８０２．１６ｅアップリンクゾーン内に含めることができる。そして、８０２．１６ｅダウンリンクゾーンと８０２．１６ｅアップリンクゾーンとの間が全部ＴＴＧではない。ＴＴＧの位置は移動機の作動を考慮して基地局が決定できる。基地局は、ＴＴＧの位置に関する情報をＤＬ−ＭＡＰ１の“Ｎｕｍｂｅｒ  ｏｆ  ＯＦＤＭＡ  ｓｙｍｂｏｌｓ”フィールドを用いて移動機に送信する。
【００４５】
８０２．１６ｅフレームは、ダウンリンクゾーン、ＴＴＧ、アップリンクゾーン、受信遷移ギャップ（ＲＴＧ）を含み、Ｎｕｍｂｅｒ  ｏｆ  ＯＦＤＭＡ  ｓｙｍｂｏｌｓフィールドは、８０２．１６ｅフレームのダウンリンクゾーンが含むＯＦＤＭシンボルの個数を表す。すなわち、ここで、基地局は、ＴＴＧの位置（上記フレームで割り当てられたアップリンクゾーンあるいはダウンリンクゾーン）を決定し、ＴＴＧの位置が決定されると、８０２．１６ｅフレームのダウンリンクゾーンに含まれたＯＦＤＭシンボルの個数が決定され、基地局は、決定された８０２．１６ｅフレームのダウンリンクゾーンに含まれたＯＦＤＭシンボルの個数をＮｕｍｂｅｒ  ｏｆ  ＯＦＤＭＡ  ｓｙｍｂｏｌｓフィールドを通じて移動機に送信する。また、基地局が、フレーム内で８０２．１６ｅダウンリンクゾーンを構成するＯＦＤＭシンボルの数を決定して、Ｎｕｍｂｅｒ  ｏｆ  ＯＦＤＭＡ  ｓｙｍｂｏｌｓフィールドを通じて移動機に送信することによって、上記移動機は、上記移動機のために割り当てられたゾーンにおいてＴＴＧが含まれた位置を把握することができる。
【００４６】
このとき、８０２．１６ｍアップリンクゾーンと８０２．１６ｅアップリンクゾーンとが重畳することを防ぐために、８０２．１６ｅフレームのダウンリンクゾーンに含まれたＯＦＤＭシンボルの個数とＴＴＧとの和は、８０２．１６ｍアップリンクゾーンのＯＦＤＭシンボルの個数と同一又は大きくなければならない。
【００４７】
例えば、ＴＴＧが１ＯＦＤＭシンボルより大きく、２ＯＦＤＭシンボルより小さいとき、１６ｍ：１６ｅ＝４：４の場合において、８０２．１６ｅフレームのダウンリンクゾーンに含まれたＯＦＤＭシンボルの個数は、２３以上でなければならない。このとき、Ｎｕｍｂｅｒ  ｏｆ  ＯＦＤＭＡ  ｓｙｍｂｏｌｓフィールドは、ｃｅｉｌ（（＃ｏｆ  ｓｙｍｂｏｌｓ  ｉｎ  １６ｍ  ＵＬ  ｒｅｇｉｏｎ＊ｌｅｎｇｔｈ  ｏｆ  ＯＦＤＭＡ  ｓｙｍｂｏｌ  −ＴＴＧ１）／ｌｅｎｇｔｈ  ｏｆ  ＯＦＤＭＡ  ｓｙｍｂｏｌ)に固定するか、これより大きく設定するように通知することもできる。
【００４８】
ＤＬ−ＭＡＰ１を通じて８０２．１６ｅ移動機に送信されるＮｕｍｂｅｒ  ｏｆ  ＯＦＤＭＡ  ｓｙｍｂｏｌｓフィールドが、８０２．１６ｅダウンリンクゾーンより長いときは、８０２．１６ｅ移動機に対するスケジュールは、８０２．１６ｅダウンリンクゾーン内でだけ行わなければならない。すなわち、図３で、８０２．１６ｅ  ＤＬ：１６ｍ  ＤＬ＝３：５であるとき、ダウンリンクからアップリンクへの切替えは、５番目のサブフレームで行うことができるが、ＤＬ−ＭＡＰ−ＩＥ（）フィールドを通じて、８０２．１６ｅフレームのダウンリンクゾーンは１番目のサブフレームから３番目のサブフレームを含み、８０２．１６ｅ移動機に対するスケジュールは、８０２．１６ｅダウンリンクゾーン内でだけ行わなければなない。
【００４９】
図３に示されたように、８０２．１６ｍ移動機に割り当てられたサブフレームの個数と、８０２．１６ｅ移動機に割り当てられたサブフレームの個数との比率は、４：４又は５：３であってもよい。基地局は、２つのフレームのうち一つのフレーム構造を固定して使用してもよく、２つのフレームをすべて許容しつつ、状況によって２つのフレームのうち一つを選択して使用してもよい。
【００５０】
そして、８０２．１６ｍ移動機に割り当てられたサブフレームの個数と、８０２．１６ｅ移動機に割り当てられたサブフレームの個数との比率は、６：２又は７：１であってもよい。６：２のときは、図３において、ＤＬ２及びＵＬ５が１６ｍゾーンとして使用される。
【００５１】
図３は、帯域幅が５、１０、２０ＭＨｚで、フレーム当たりサブフレームの数が８個であるときを示しているが、帯域幅が７ＭＨｚ又は８．７５ＭＨｚである場合にも同一に適用されうる。
【００５２】
上記フレームで、ＩＥＥＥ ８０２．１６ｍ  Ｆ−ＦＤＤ移動機は８０２．１６ｍゾーンをすべて使用することができる。
【００５３】
上記フレームで、ＩＥＥＥ ８０２．１６ｍ  Ｈ−ＦＤＤ移動機は、遷移ギャップ（ｔｒａｎｓｉｔｉｏｎ  ｇａｐ）、ＳＦＨ、及びプリアンブルの復号を考慮して、８０２．１６ｍゾーンのうち一部を使用することができる。例えば、図３において、８０２．１６ｅ移動機に割り当てられたサブフレームの個数と８０２．１６ｍ移動機に割り当てられたサブフレームの個数との比率が３：５であるとき、ＩＥＥＥ ８０２．１６ｍ  Ｈ−ＦＤＤ移動機は、ＵＬ０及びＵＬ１だけを使用することができ、ＵＬ２、３、４は使用できない。そして、ＤＬ７は、遷移ギャップのため使用できないこともある。又は、ＨＡＲＱ接続中、遷移ギャップなどを考慮して一部だけを使用することができる。すなわち、ＵＬ０、ＵＬ１、及びこれとＨＡＲＱ接続された２個のダウンリンクサブフレームだけを使用することもできる。８０２．１６ｅ移動機に割り当てられたサブフレームの個数と８０２．１６ｍ移動機に割り当てられたサブフレームの個数との比率が４：４である場合には、ＵＬ３を遷移ギャップのため使用できず、ＤＬ７も遷移ギャップのため使用できないこともある。
【００５４】
図４は、８０２．１６ｅ移動機に割り当てられたサブフレームの個数と、８０２．１６ｍ移動機に割り当てられたサブフレームの個数との比率が３：５である場合のフレーム構造を示す図である。
【００５５】
図３では、ＩＥＥＥ ８０２．１６ｍのダウンリンクとアップリンクゾーンとが重畳するとき、重畳される直前の場合を基準に、ダウンリンクは、８０２．１６ｅダウンリンクゾーンにおいて時間上に末尾のサブフレームから８０２．１６ｍゾーンとして利用し、アップリンクは、８０２．１６ｅアップリンクゾーンにおいて時間上に先頭のサブフレームから８０２．１６ｍゾーンとして利用する方法を説明した。
【００５６】
しかし、これとは異なり、ＩＥＥＥ ８０２．１６ｍのダウンリンクゾーンとアップリンクゾーンとが重畳するとき、ダウンリンク及びアップリンク双方とも、８０２．１６ｅゾーンにおいて時間上に末尾のサブフレームから８０２．１６ｍゾーンとして割り当てることもできる。このときには、８０２．１６ｍアップリンクゾーンと８０２．１６ｅアップリンクゾーンとが互いに重畳しないように、式１又は式２を満足し、式３を満足するように、ＤＬ  ＭＡＰ１及びＵＬ  ＭＡＰ１のＮｕｍｂｅｒ  ｏｆ  ＯＦＤＭＡ  ｓｙｍｂｏｌｓフィールドを決定する。
【００５７】
[式１]
Ｎｕｍｂｅｒ  ｏｆ  ＯＦＤＭＡ  ｓｙｍｂｏｌｓ  ｉｎ  ＤＬ  ＭＡＰ１−ｃｅｉｌ（（＃  ｏｆ  ｓｙｍｂｏｌｓ  ｉｎ  １６ｍ  ＵＬ  ｒｅｇｉｏｎ＊ｌｅｎｇｔｈ  ｏｆ  ＯＦＤＭＡ  ｓｙｍｂｏｌ−ＴＴＧ１）／ｌｅｎｇｔｈ  ｏｆ  ＯＦＤＭＡ  ｓｙｍｂｏｌ）
【００５８】
[式２]
Ｎｕｍｂｅｒ  ｏｆ  ＯＦＤＭＡ  ｓｙｍｂｏｌｓ  ｉｎ  ＤＬ  ＭＡＰ１＊ｌｅｎｇｔｈ  ｏｆ  ＯＦＤＭＡ  ｓｙｍｂｏｌ＋ＴＴＧ１−＃  ｏｆ  ｓｙｍｂｏｌｓ  ｉｎ  １６ｍ  ＵＬ  ｒｅｇｉｏｎ＊ｌｅｎｇｔｈ  ｏｆ  ＯＦＤＭＡ  ｓｙｍｂｏｌ
【００５９】
[式３]
Ｎｕｍｂｅｒ  ｏｆ  ＯＦＤＭＡ  ｓｙｍｂｏｌｓ  ｉｎ  ＤＬ  ＭＡＰ１＊ｌｅｎｇｔｈ  ｏｆ  ＯＦＤＭＡ  ｓｙｍｂｏｌ＋ＴＴＧ１＋Ｎｕｍｂｅｒ  ｏｆ  ＯＦＤＭＡ  ｓｙｍｂｏｌｓ  ｉｎ  ＵＬ  ＭＡＰ１＊ｌｅｎｇｔｈ  ｏｆ  ＯＦＤＭＡ  ｓｙｍｂｏｌ−（Ｘ−＃  ｏｆ  ｓｙｍｂｏｌｓ  ｉｎ  ｓｅｃｏｎｄ  １６ｍ  ＵＬ  ｒｅｇｉｏｎ）＊ｌｅｎｇｔｈ  ｏｆ  ＯＦＤＭＡ  ｓｙｍｂｏｌ
【００６０】
ここで、Ｘは、１フレームに存在するＯＦＤＭＡシンボルの数である。図４で、２番目の８０２．１６ｍアップリンクゾーンはＵＬ＃０であり、＃  ｏｆ  ｓｙｍｂｏｌｓ  ｉｎ  ｓｅｃｏｎｄ  １６ｍ  ＵＬ  ｒｅｇｉｏｎは６である。上記の式３で、（Ｘ−＃  ｏｆ  ｓｙｍｂｏｌｓ  ｉｎ  ｓｅｃｏｎｄ  １６ｍ  ＵＬ  ｒｅｇｉｏｎ）＊ｌｅｎｇｔｈ  ｏｆ  ＯＦＤＭＡ  ｓｙｍｂｏｌは、２番目の８０２．１６ｍアップリンクゾーンの直前までのシンボル数を表すため、これを表す他の表現に代替可能である。すなわち、８０２．１６ｍアップリンクゾーンと８０２．１６ｅアップリンクゾーンとが互いに重畳しないように、基地局が、ＤＬ  ＭＡＰ１のＮｕｍｂｅｒ  ｏｆ  ＯＦＤＭＡ  ｓｙｍｂｏｌｓフィールド値、及びＵＬ  ＭＡＰ１のＮｕｍｂｅｒ  ｏｆ  ＯＦＤＭＡ  ｓｙｍｂｏｌｓフィールド値を適切に調節して通知する。
【００６１】
また、図４で、８０２．１６ｍゾーンのダウンリンクｘサブフレームとアップリンクｘサブフレームが、ＨＡＲＱ接続に対応するようにすることができる。すなわち、連続したサブフレームで構成されたダウンリンクゾーン及び連続したサブフレームで構成されたアップリンクゾーンにおいて、ダウンリンクサブフレームとアップリンクサブフレームとが時間順にＨＡＲＱ接続されるようにすることができる。このようにすると、８０２．１６ｍ  ＦＤＤ移動機だけに対応する場合のＨＡＲＱ接続を、８０２．１６ｍ  ＦＤＤ移動機及び８０２．１６ｅ  ＦＤＤ移動機双方に対応する場合でも、そのまま利用することができる。又は、８０２．１６ｍ  ＦＤＤ移動機だけに対応する場合のＨＡＲＱ接続を利用することができず、新しく定義するとしても、処理時間などを考慮するときに有利である。
【００６２】
図４は、８０２．１６ｅ移動機に割り当てられたサブフレームの個数と、８０２．１６ｍ移動機に割り当てられたサブフレームの個数との比率が３：５である場合を示すが、８０２．１６ｍ移動機に割り当てられたサブフレームの個数がさらに増加する場合も、同様の方法で拡張できる。また、図４は、５、１０、２０ＭＨｚで、フレーム当たりサブフレームの数が８個であるときを示しているが、７ＭＨｚ（１フレーム当たりサブフレームの数が５又は６）や８．７５ＭＨｚ（１フレーム当たりサブフレームの数が７）のように、フレーム当たりサブフレームの数が異なる場合も同様に適用できる。
【００６３】
次に、本発明の実施例で提案する第１システム移動機及び第２システム移動機双方に対応できるフレーム構造を用いてデータを送受信する場合、基地局の制御情報送信方法及び移動機の制御情報受信方法について説明する。
【００６４】
８０２．１６ｅダウンリンクゾーン及びアップリンクゾーンに割り当てられるサブフレームの数は、固定して使用してもよく、基地局が状況によって変更することもできる。例えば、図２のように、８０２．１６ｅダウンリンクゾーンが５個のサブフレームを含み、８０２．１６ｅアップリンクゾーンが３個のサブフレームを含む場合を説明すると、基地局は、８０２．１６ｅダウンリンクゾーンの５個のサブフレームをすべて８０２．１６ｅ移動機に割り当てることもでき、５個のサブフレームのうち一部だけを８０２．１６ｅ移動機に割り当てることもできる。５個のサブフレームのうち一部だけを８０２．１６ｅ移動機に割り当てる場合には、８０２．１６ｅ移動機に割り当てられないサブフレームは、８０２．１６ｍ移動機に割り当てることができる。ここで、基地局が８０２．１６ｅ移動機に割り当てるアップ／ダウンリンクゾーンをシンボルで表すとすると、そのアップ／ダウンリンクゾーンは、サブフレームとの位置揃えを維持するために、サブフレームタイプ毎に含まれるシンボルの数を単位として表すこともできる。
【００６５】
基地局が８０２．１６ｅフレーム上でＴＴＧの位置を決定すると、８０２．１６ｅフレーム上でダウンリンクゾーン、ＴＴＧ及びアップリンクゾーンが決定される。すると、基地局は、８０２．１６ｅフレーム上でダウンリンクゾーンが含むＯＦＤＭシンボルの個数を、ＤＬ−ＭＡＰ１のＮｕｍｂｅｒ  ｏｆ  ＯＦＤＭＡ  ｓｙｍｂｏｌｓフィールドを通じて８０２．１６ｅ移動機に送信する。上記は一例に過ぎず、各ゾーンを定義する方法において制限はない。
【００６６】
そして、基地局は、８０２．１６ｅフレーム上でアップリンクゾーンが含むＯＦＤＭシンボルの個数を、ＵＬ−ＭＡＰ１のＮｕｍｂｅｒ  ｏｆ  ＯＦＤＭＡ  ｓｙｍｂｏｌｓフィールドを通じて８０２．１６ｅ移動機に送信する。
【００６７】
そして、基地局は、８０２．１６ｅ移動機のそれぞれに割り当てられるゾーンに対する情報を、ＤＬ−ＭＡＰメッセージのＤＬ−ＭＡＰ＿ＩＥ（）を用いて、８０２．１６ｅ移動機のそれぞれに送信する。また、ＴＴＧ１、ＲＴＧ１、ＴＴＧ２、ＲＴＧ２に対する情報はダウンリンクチャネル記述子（ＤＣＤ）メッセージを通じて基地局が移動機に送信する。
【００６８】
まず、基地局が、８０２．１６ｅ移動機に先にリソースを割り当てる場合について説明する。
【００６９】
基地局は、８０２．１６ｅフレームの構成情報を８０２．１６ｅ移動機にブロードキャスト又はユニキャスト信号で送信し、８０２．１６ｅ移動機は、送信されたフレーム構成情報を通じて、ダウンリンクゾーンが終了する位置を知ることができる。したがって、８０２．１６ｅ移動機は、ダウンリンクゾーンが終了する位置で、ダウンリンクからアップリンクへの切替えを行う。例えば、図２で、８０２．１６ｅ移動機は、８０２．１６ｅダウンリンクゾーンの最後のサブフレーム（ＤＬ４）又はアップリンクゾーンの１番目のサブフレーム（ＵＬ５）で、ダウンリンクからアップリンクへの切替えを行う。
【００７０】
基地局は、８０２．１６ｅゾーンの全部又は一部を８０２．１６ｅ移動機に割り当てることができ、８０２．１６ｅゾーンのうち８０２．１６ｅ移動機に割り当てられたゾーンに対する情報を、フレーム構成情報又は他の形態のシグナリング通じて、８０２．１６ｍ移動機に知らせることができる。
【００７１】
図２のように、８０２．１６ｅダウンリンクゾーンに設定された５個のダウンリンクサブフレームうち３個のサブフレーム（ＤＬ０、ＤＬ１、ＤＬ２）だけを８０２．１６ｅ移動機に割り当てた場合、８０２．１６ｍ移動機は、これに対する情報を受信して、８０２．１６ｅダウンリンクゾーンの一部区間を使用することができる。すなわち、８０２．１６ｍダウンリンクゾーンは５個のサブフレーム（ＤＬ３、ＤＬ４、ＤＬ５、ＤＬ６、ＤＬ７）を含み、８０２．１６ｍアップリンクゾーンは、８０２．１６ｅ移動機が使用するゾーンを除いた残りのゾーン（ＵＬ０、ＵＬ１、ＵＬ２、ＵＬ３、ＵＬ４）を含む。
【００７２】
８０２．１６ｍ  Ｆ−ＦＤＤ移動機は、遷移ギャップが必要ないため、８０２．１６ｍダウンリンクゾーン及びアップリンクゾーンをすべて使用することができる。すなわち、８０２．１６ｍ  Ｆ−ＦＤＤ移動機は、８０２．１６ｅゾーンで８０２．１６ｅ移動機が使用するサブフレームに対する情報を基地局から受信して、８０２．１６ｅ移動機が使用しない区間にあるサブフレームを使用して信号を送信できる。上述した８０２．１６ｅゾーンに割り当てられるサブフレームの数、及び８０２．１６ｅ移動機に割り当てられるサブフレームの数は一例であり、本発明はこれに限定されない。
【００７３】
８０２．１６ｍ  Ｈ−ＦＤＤ移動機は、遷移ギャップを考慮して、８０２．１６ｍ  Ｆ−ＦＤＤ移動機が使用する区間の一部を割り当てられて使用することができる。図２のように、８０２．１６ｅ  Ｈ−ＦＤＤ移動機が８０２．１６ｅダウンリンクゾーン内で３個のサブフレーム（ＤＬ０、ＤＬ１、ＤＬ２）を使用し、８０２．１６ｅアップリンクゾーン内で３個のサブフレーム（ＵＬ５、ＵＬ６、ＵＬ７）を使用する場合、８０２．１６ｍ  Ｈ−ＦＤＤ移動機は、ＤＬ／ＵＬ遷移ギャップのために割り当てられたサブフレームのうち一部のサブフレームをパンクチャ（ｐｕｎｃｔｕｒｅ）するか、又は待機（ｉｄｌｅ）として設定して使用することができる。遷移ギャップのために割り当てられるサブフレームは、ダウンリンク及びアップリンクでそれぞれ割り当ててもよいし、又は、ダウンリンク又はアップリンクでだけ割り当ててもよい。このとき、パンクチャされるか、若しくはアイドルとして使用されるサブフレームの位置、又はＳＦＨが送信されるサブフレームによって、８０２．１６ｍ  Ｈ−ＦＤＤ移動機に対応するダウンリンク及びアップリンクの比率（ｒａｔｉｏ）が変わることになる。
【００７４】
次に、基地局が、８０２．１６ｍ移動機に先にリソースを割り当てる場合について説明する。
【００７５】
基地局が、８０２．１６ｍ  ＦＤＤ移動機のためのゾーンを先に割り当てた後、残りのゾーンを８０２．１６ｅ  Ｈ−ＦＤＤ移動機に割り当てる場合に、８０２．１６ｍ  ＦＤＤ移動機は、基地局からＳＦＨ又はＡＢＩを通じてフレーム構成情報を受信して、ＤＬ／ＵＬで割り当てられたサブフレームの数及び位置に対する情報を知ることができ、移動機に割り当てられたサブフレームの数を用いて、８０２．１６ｅ移動機に割り当てられたサブフレームの個数も把握することができる。また、送信されたフレーム構成情報を用いて、ＳＦＨが送信されるフレームの位置も知ることができる。
【００７６】
図２において、８０２．１６ｍ  ＦＤＤ移動機に割り当てられたダウンリンクゾーンとアップリンクゾーンとが互いに重畳しているため、８０２．１６ｅ  Ｈ−ＦＤＤ移動機がデータ送信のために使用できるゾーンは、ＤＬ０、ＤＬ１、ＤＬ２とＵＬ５、ＵＬ６、ＵＬ７である。
【００７７】
そして、８０２．１６ｅ  Ｈ−ＦＤＤ移動機は、既存の８０２．１６ｅ  Ｈ−ＦＤＤ構造のグループ１、すなわち、ダウンリンクサブフレーム１を用いてデータを送信し、８０２．１６ｅ  Ｈ−ＦＤＤ移動機に対応するためにダウンリンクサブフレーム１に割り当てられるシンボルの数は、最小限１２シンボル（７ＭＨｚ）又は１６シンボル（５、８．７５、１０ＭＨｚ）より大きいか又は同一でなければならない。
【００７８】
８０２．１６ｍ  ＦＤＤ移動機のためのダウンリンクゾーンとアップリンクゾーンとが、図２のように、互いに重畳するように設定される場合に８０２．１６ｅ  Ｈ−ＦＤＤ移動機に対応するために、残りの領域の長さは１２又は１６シンボルより大きくなければならないため、８０２．１６ｅ  Ｈ−ＦＤＤ移動機は、帯域によって、最小限２又は３個以上のダウンリンクサブフレームが割り当てられなければならない。
【００７９】
ＤＬ／ＵＬ切替えを考慮して、ダウンリンクサブフレーム１の長さは、８０２．１６ｍアップリンクゾーンが終了する点に該当するシンボルまでに設定できる。もちろん、これより長く設定することもできるが、そのような場合、アップリンクゾーンの長さが減少する。
【００８０】
したがって、８０２．１６ｅ  Ｈ−ＦＤＤ移動機は、８０２．１６ｍ  ＦＤＤに割り当てられた後、残ったゾーンをスケジュールしてデータを送信し、ＤＬ／ＵＬ切替えは、８０２．１６ｍ  ＦＤＤ移動機に割り当てられた最後のアップリンクサブフレーム内で行われる。例えば、図２のように、８０２．１６ｍ  Ｆ−ＦＤＤ移動機に、アップリンク及びダウンリンクに５個のサブフレームを割り当てた場合に、８０２．１６ｅ  Ｈ−ＦＤＤ移動機が、スケジュールされて利用できるゾーンは、ＤＬ０、ＤＬ１、ＤＬ２とＵＬ５、ＵＬ６、ＵＬ７とのサブフレームに該当するゾーンである。したがって、８０２．１６ｅ  Ｈ−ＦＤＤ移動機は、ＤＬ４サブフレームの最後のシンボル又はＵＬ５サブフレームの１番目のシンボルの位置に該当する点で、ＤＣＤを通じて受信したＴＴＧ、ＲＴＧを適用して、ＤＬ／ＵＬ切替えを行うことができる。もちろん、切替えは、任意の点で行うこともできるが、スケジュールされる領域は、８０２．１６ｍ移動機に割り当てられない８０２．１６ｅゾーン（ＤＬ０、ＤＬ１、ＤＬ２、ＵＬ５、ＵＬ６、ＵＬ７）に限定しなければならない。
【００８１】
基地局は、８０２．１６ｅ  Ｈ−ＦＤＤ移動機がスケジュールされて使用する領域、及びＤＬ／ＵＬ切り替える点に対する情報を８０２．１６ｅ移動機に送信しなければならない。８０２．１６ｅ  Ｈ−ＦＤＤ移動機は、ＤＬ／ＵＬ切替点に対する情報を、ダウンリンクサブフレーム１に割り当てられたシンボルの数として把握できる。ここで、８０２．１６ｅ  Ｈ−ＦＤＤ移動機に割り当てられるダウンリンクサブフレーム１の長さに対する情報は、現在のフレームのＤＬ−ＭＡＰ１のＮｕｍｂｅｒ  ｏｆ  ＯＦＤＭＡ  ｓｙｍｂｏｌｓフィールドを用いて送信され、８０２．１６ｅ  Ｈ−ＦＤＤ移動機は、与えられたダウンリンクサブフレーム１ゾーン内で、８０２．１６ｍ  Ｆ−ＦＤＤ移動機のために割り当てられたサブフレームを除いた残りの領域だけを、スケジュールを通じてデータを送信する。
【００８２】
また、基地局が、ＵＬ−ＭＡＰ１のＮｕｍｂｅｒ  ｏｆ  ＯＦＤＭＡ  ｓｙｍｂｏｌｓフィールドを８０２．１６ｅ  Ｈ−ＦＤＤ移動機に送信することによって、アップリンクゾーンで８０２．１６ｅ  Ｈ−ＦＤＤ移動機に割り当てられるフレームのダウンリンクゾーンの大きさを知らせることができる。
【００８３】
そして、基地局は、８０２．１６ｅ移動機にスケジュールされる領域に対する情報は、ＤＬ−ＭＡＰメッセージのＤＬ−ＭＡＰ＿ＩＥ（）を用いて８０２．１６ｅ  Ｈ−ＦＤＤ移動機に送信する。また、８０２．１６ｅ  Ｈ−ＦＤＤ移動機のＤＬ／ＵＬ切替えのために必要なギャップであるＴＴＧ１、ＲＴＧ１、ＴＴＧ２、ＲＴＧ２に対する情報は、ＤＣＤメッセージを通じて基地局が移動機に送信する。
【００８４】
８０２．１６ｍ  Ｈ−ＦＤＤ移動機は、８０２．１６ｍ  Ｆ−ＦＤＤ移動機に割り当てられて使用されるサブフレーム構成を用いてデータを送信する。したがって、Ｆ−ＦＤＤ移動機とフレームの位置を揃えるために、ＤＬ／ＵＬ切替えのために必要なギャップを生成するためにサブフレームをパンクチャしたり、ＤＬ／ＵＬ切り替える区間のサブフレームをアイドルとして設定したり、スケジュールしたりしなくてもよい。例えば、図２で、８０２．１６ｍ  Ｈ−ＦＤＤ移動機は、８０２．１６ｍ  Ｆ−ＦＤＤ移動機に割り当てられて使用されるダウンリンクサブフレームのうち、遷移ギャップのためにダウンリンクの最後のサブフレーム（ＤＬ４）をパンクチャしたり、アイドルとして設定したり、最後のサブフレームを移動機にスケジュールしたりしない。また、アップリンクゾーンでは、ダウンリンクで送信されるＡプリアンブル（Ａ−ｐｒｅａｍｂｌｅ）、ＳＦＨを受信するために、このような信号が送信されるサブフレームと同じ位置に存在するサブフレーム及びその次のサブフレームは、パンクチャしたり、アイドルとして設定したりすることができ、遷移ギャップを設定するために、ＵＬ２サブフレームに、ＤＬで遷移ギャップを形成するための方法と同様の方法を適用できる。したがって、８０２．１６ｍ  Ｈ−ＦＤＤ移動機は、アップリンクゾーンでＵＬ０及びＵＬ１サブフレームを用いてデータを送信できる。このようなフレーム構造は、１６ｍ  Ｈ−ＦＤＤ移動機に対応するための一つの実施例であり、遷移ギャップのためにパンクチャ又はアイドルとして設定されるサブフレームによって、多様な形態のフレーム構造を用いて８０２．１６ｍ  Ｈ−ＦＤＤ移動機に対応できる。
【００８５】
図５は、本発明のさらに他の実施例であって、上述した本発明の各実施例を具現することができる高度移動機（ＡＭＳ）及び高度基地局（ＡＢＳ）の構成を示す図である。
【００８６】
高度移動機及び高度基地局は、情報、データ、信号及び／又はメッセージなどを送受信できるアンテナ５００、５１０と、アンテナを制御してメッセージを送信する送信モジュール（Ｔｘ  ｍｏｄｕｌｅ）５４０、５５０と、アンテナを制御してメッセージを受信する受信モジュール（Ｒｘ  ｍｏｄｕｌｅ）５６０、５７０と、高度基地局との通信に関連した情報を記憶するメモリ５８０、５９０と、送信モジュール、受信モジュール及びメモリを制御するプロセッサ５２０、５３０とをそれぞれ含む。このとき、高度基地局は、フェムト基地局又はマクロ基地局であってもよい。
【００８７】
アンテナ５００、５１０は、送信モジュール５４０、５５０から生成された信号を外部に送信し、又は外部から無線信号を受信し、受信モジュール５６０、５７０に伝達する機能を行う。多重アンテナ（ＭＩＭＯ）機能に対応する場合には、２個以上のアンテナを備えることができる。
【００８８】
プロセッサ５２０、５３０は、通常的に高度移動機又は高度基地局の全般的な動作を制御する。特に、プロセッサは、上述した本発明の各実施例を行うための制御機能、サービス特性及び伝播環境による媒体接続制御（ＭＡＣ）フレーム可変制御機能、ハンドオーバ機能、認証及び暗号化機能などを行うことができる。また、プロセッサ５２０、５３０は、多様なメッセージの暗号化を制御できる暗号化モジュール及び多様なメッセージの送受信を制御するタイマモジュールをそれぞれ含むことができる。
【００８９】
送信モジュール５４０、５５０は、プロセッサからスケジュールされて外部に送信される信号及び／又はデータに対して、所定の符号化及び変調を行った後、これをアンテナ５００、５１０に伝達することができる。
【００９０】
受信モジュール５６０、５７０は、外部からアンテナ５００、５１０を介して受信された無線信号に対する復号及び復調を行い、これを原データの形態に復元してプロセッサ５２０、５３０に伝達することができる。
【００９１】
メモリ５８０、５９０は、プロセッサの処理及び制御のためのプログラムを記憶することもでき、入／出力される各データ（高度移動局の場合、高度基地局から割り当てられたアップリンク許可（ＵＬ  ｇｒａｎｔ）、システム情報、ステーション識別子（ＳＴＩＤ）、フロー識別子（ＦＩＤ）、動作時間（Ａｃｔｉｏｎ  Ｔｉｍｅ）、など）の一時記憶のための機能を行うことができる。
【００９２】
また、メモリ５８０、５９０は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリ、磁気ディスク、光ディスクのうち少なくとも一つのタイプの記憶媒体を含むことができる。
【００９３】
上述のように開示された本発明の好ましい各実施例についての詳細な説明は、当業者が本発明を具現し実施できるように提供された。上記では、本発明の好適な各実施例を参照して説明したが、当該技術分野における熟練された当業者は、本発明の領域から逸脱しない範囲内で本発明を様々に修正及び変更できるということを理解するであろう。例えば、当業者は、上述した各実施例に記載された各構成を互いに組み合わせる方式で利用することができる。
【００９４】
したがって、本発明は、ここに開示されている各実施形態に制限されるものではなく、ここに開示されている原理及び新規な特徴と一致する最も広い範囲を付与するためのものである。
【産業上の利用可能性】
【００９５】
前述した本発明の各実施例は多様な無線接続システムに適用することができる。
【００９６】
本発明の各実施例によれば、ＩＥＥＥ ８０２．１６ｅ移動機及び８０２．１６ｍ移動機双方に対応することができ、ＩＥＥＥ ８０２．１６ｅ移動機の切替点を知らせることができる。
【００９７】
本発明で得られる効果は、以上に言及した効果に制限されず、言及していない他の効果は、本発明の属する技術分野における通常の知識を有する者に明確に理解されるであろう。
【図１】
0005600173.tif 000003
【図２】
0005600173.tif 000004
【図３】
0005600173.tif 000005
【図４】
0005600173.tif 000006
【図５】
0005600173.tif 000007